(57)【要約】      （修正有）【課題】アンテナポート割当て通信のための方法装置およびコンピュータプログラムを提供する。【解決手段】利用可能なアンテナポートの合計数、ユーザ機器（ＵＥ）のためのランクインジケータ、および１つまたは複数のポート割当てビットを含んでいるダウンリンク制御情報（ＤＣＩ）が受信され、ランクインジケータまたは１つまたは複数のポート割当てビットのうち少なくとも１つに基づいてＵＥに割当てられるの利用可能なアンテナポートの合計数のうちのサブセットが決定され、割当てられたアンテナポートのセットに対応する基準信号に基づいて復調が実行される。【選択図】図８
2014212536.tif 000002
【特許請求の範囲】
【請求項１】
無線通信の方法であって、
利用可能なアンテナポートの合計数、ユーザ機器（ＵＥ）のためのランクインジケータ、および１つまたは複数のポート割当てビットを含んでいるダウンリンク制御情報（ＤＣＩ）を受信することと、
前記ランクインジケータまたは前記１つまたは複数のポート割当てビットのうち少なくとも１つに基づいて前記ＵＥに割当てられる前記利用可能なアンテナポートの合計数のサブセットを決定することと、
前記割当てられたアンテナポートのセットに対応する基準信号に基づいて復調を実行することと、
を備える方法。
【請求項２】
前記１つまたは複数のポート割当てビットのうちの１つは、ローカルバーチャルリソースブロック／分散型バーチャルリソースブロック（ＬＶＲＢ／ＤＶＲＢ）フラグを備える、請求項１に記載の方法。
【請求項３】
前記サブセットを決定することは、前記ランクインジケータが４より大きいとき、前記ランクのみに基づいて前記サブセットを決定することをさらに備える、請求項１に記載の方法。
【請求項４】
実行することは、時間、周波数、またはコードスペースのうちの少なくとも１つにおける直交化を通じて受信を変更すること、をさらに備える、請求項１に記載の方法。
【請求項５】
前記サブセットを決定することはさらに、
前記ランクは値より小さいまたは等しいということを決定することと、
前記利用可能なアンテナポートの合計数のうちどれが前記ＵＥに対して割当てられるかを決定するために前記１つまたは複数のポート割当てビットを使用することと、
を備える、請求項１に記載の方法。
【請求項６】
前記利用可能なアンテナポートの合計数は、２つのアンテナポートであり、前記ランクインジケータは１であり、前記１つまたは複数のポート割当てビットは単一ビットであり、前記サブセットを決定することは、前記単一ビット値に依存して前記利用可能なアンテナポートのうちの一方または他方に前記ＵＥをマッピングすることをさらに構成される、請求項５に記載の方法。
【請求項７】
前記単一ビットは、ローカルバーチャルリソースブロック／分散型バーチャルリソースブロック（ＬＶＲＢ／ＤＶＲＢ）フラグである、請求項６に記載の方法。
【請求項８】
前記利用可能なアンテナポートの合計数は２よりも大きく、前記１つまたは複数の割当てビットを使用することは、少なくとも２つのポート割当てビットを使用することを備え、前記少なくとも２つのポート割当てビットおよび前記ランクは、前記利用可能なアンテナポートの合計数のうちどれがマッピングスキームを適用することによって前記ＵＥに割当てられるかを決定するために使用される、請求項５に記載の方法。
【請求項９】
前記アンテナポートはＵＥ専用の基準信号（ＵＥ−ＲＳ）である、請求項１に記載の方法。
【請求項１０】
前記ＤＣＩは、物理ダウンリンク制御チャネル（ＰＤＣＣＨ）を使用して受信され、復調を実行することはさらに、物理ダウンリンク共有チャネル（ＰＤＳＣＨ）を使用して受信されるデータを復調することをさらに備える、請求項１に記載の方法。
【請求項１１】
前記ＤＣＩは、フォーマット１Ａ、フォーマット１Ｂ、またはフォーマット１Ｄのうちの少なくとも１つにおいて受信される、請求項１に記載の方法。
【請求項１２】
前記ＤＣＩを受信することは、複数のＤＣＩを受信することをさらに備え、前記複数のＤＣＩは、前記ＵＥに関する送信モードに依存して、フォーマット１Ａ、フォーマット１Ｂ、フォーマット１Ｄ、またはフォーマット２のうちの少なくとも１つにおいて受信される、請求項１に記載の方法。
【請求項１３】
無線通信のための装置であって、
利用可能なアンテナポートの合計数、ユーザ機器（ＵＥ）のためのランクインジケータ、および１つまたは複数のポート割当てビットを含んでいるダウンリンク制御情報（ＤＣＩ）を受信するための手段と、
前記ランクインジケータまたは前記１つまたは複数のポート割当てビットのうち少なくとも１つに基づいて前記ＵＥに割当てられる１サブセットの前記利用可能なアンテナポートの合計数のうちのサブセットを決定するための手段と、
前記割当てられたアンテナポートのセットに対応する基準信号に基づいて復調を実行するための手段と、
を備える装置。
【請求項１４】
前記１つまたは複数のポート割当てビットのうちの１つは、ローカルバーチャルリソースブロック／分散型バーチャルリソースブロック（ＬＶＲＢ／ＤＶＲＢ）フラグを備える、請求項１３に記載の装置。
【請求項１５】
前記サブセットを決定するための手段は、前記ランクインジケータが４より大きいとき、前記ランクのみに基づいて前記サブセットを決定するための手段をさらに備える、請求項１３に記載の装置。
【請求項１６】
実行するための手段は、時間、周波数、またはコードスペースのうちの少なくとも１つにおける直交化を通じて受信を変更するための手段、をさらに備える、請求項１３に記載の装置。
【請求項１７】
前記サブセットを決定するための手段はさらに、
前記ランクは値より小さいまたは等しいということを決定するための手段と、
前記利用可能なアンテナポートの合計数のうちどれが前記ＵＥに対して割当てられるかを決定するために前記１つまたは複数のポート割当てビットを使用するための手段と、
をさらに備える請求項１３に記載の装置。
【請求項１８】
前記利用可能なアンテナポートの合計数は、２つのアンテナポートであり、前記ランクインジケータは１であり、前記１つまたは複数のポート割当てビットは単一ビットであり、前記サブセットを決定するための手段は、前記単一ビット値に依存して前記利用可能なアンテナポートのうちの一方または他方に前記ＵＥをマッピングするための手段をさらに備える、請求項１７に記載の装置。
【請求項１９】
前記単一ビットは、ローカルバーチャルリソースブロック／分散型バーチャルリソースブロック（ＬＶＲＢ／ＤＶＲＢ）フラグである、請求項１８に記載の装置。
【請求項２０】
前記利用可能なアンテナポートの合計数は２よりも大きく、前記１つまたは複数の割当てビットを使用するための手段は、少なくとも２つのポート割当てビットを使用するための手段を備え、前記少なくとも２つのポート割当てビットおよび前記ランクは、マッピングスキームを適用することによって前記利用可能なアンテナポートの合計数のうちどれが前記ＵＥに割当てられるかを決定するために使用される、請求項１７に記載の装置。
【請求項２１】
前記アンテナポートはＵＥ専用の基準信号（ＵＥ−ＲＳ）である、請求項１３に記載の装置。
【請求項２２】
前記ＤＣＩは、物理ダウンリンク制御チャネル（ＰＤＣＣＨ）を使用して受信され、復調を実行するための手段は、物理ダウンリンク共有チャネル（ＰＤＳＣＨ）を使用して受信されるデータを復調するための手段をさらに備える、請求項１３に記載の装置。
【請求項２３】
前記ＤＣＩは、フォーマット１Ａ、フォーマット１Ｂまたはフォーマット１Ｄのうちの少なくとも１つにおいて受信される、請求項１３に記載の装置。
【請求項２４】
前記ＤＣＩを受信するための手段は、複数のＤＣＩを受信するための手段をさらに備え、前記複数のＤＣＩは、前記ＵＥに関する送信モードに依存して、フォーマット１Ａ、フォーマット１Ｂ、フォーマット１Ｄ、またはフォーマット２のうちの少なくとも１つにおいて受信される、請求項１３に記載の装置。
【請求項２５】
コンピュータ可読媒体を備えるコンピュータプログラムプロダクトであって、
前記コンピュータ可読媒体は、
利用可能なアンテナポートの合計数、ユーザ機器（ＵＥ）のためのランクインジケータ、および１つまたは複数のポート割当てビットを含んでいるダウンリンク制御情報（ＤＣＩ）を受信するためのコードと、
前記ランクインジケータまたは前記１つまたは複数のポート割当てビットのうち少なくとも１つに基づいて前記ＵＥに割当てられる利用可能なアンテナポートの合計数のうちのサブセットを決定するためのコードと、
前記割当てられたアンテナポートのセットに対応する基準信号に基づいて復調を実行するためのコードと、
を備える、コンピュータプログラムプロダクト。
【請求項２６】
前記１つまたは複数のポート割当てビットのうちの１つは、ローカルバーチャルリソースブロック／分散型バーチャルリソースブロック（ＬＶＲＢ／ＤＶＲＢ）フラグを備える、請求項２５に記載のコンピュータプログラムプロダクト。
【請求項２７】
前記コンピュータ可読媒体は、前記ランクインジケータが４より大きいとき、前記ランクのみに基づいて前記サブセットを決定するためのコードをさらに備える、請求項２５に記載のコンピュータプロダクト。
【請求項２８】
前記コンピュータ可読媒体は、時間、周波数、またはコードスペースのうちの少なくとも１つにおける直交化を通じて受信を変更するためのコード、をさらに備える、請求項２５に記載のコンピュータプログラムプロダクト。
【請求項２９】
前記コンピュータ可読媒体は、
前記ランクは値より小さいまたは等しいということを決定するためのコードと、
前記利用可能なアンテナポートの合計数のうちどれが前記ＵＥに対して割当てられるかを決定するために前記１つまたは複数のポート割当てビットを使用するためのコードと、
をさらに備える、請求項２５に記載のコンピュータプログラムプロダクト。
【請求項３０】
前記利用可能なアンテナポートの合計数は、２つのアンテナポートであり、前記ランクインジケータは１であり、前記１つまたは複数のポート割当てビットは単一ビットであり、前記コンピュータ可読媒体は、前記単一ビット値に依存して前記利用可能なアンテナポートのうちの一方または他方に前記ＵＥをマッピングするためのコードをさらに備える、請求項２９に記載のコンピュータプログラムプロダクト。
【請求項３１】
前記単一ビットは、ローカルバーチャルリソースブロック／分散型バーチャルリソースブロック（ＬＶＲＢ／ＤＶＲＢ）フラグである、請求項３０に記載のコンピュータプログラムプロダクト。
【請求項３２】
前記利用可能なアンテナポートの合計数は２よりも大きく、前記コンピュータ化可読媒体は、少なくとも２つのポート割当てビットを使用するためのコードをさらに備え、前記少なくとも２つのポート割当てビットおよび前記ランクは、マッピングスキームを適用することによって前記利用可能なアンテナポートの合計数のうちどれが前記ＵＥに割当てられるかを決定するために使用される、請求項２９に記載のコンピュータプログラムプロダクト。
【請求項３３】
前記アンテナポートはＵＥ専用の基準信号（ＵＥ−ＲＳ）である、請求項２５に記載のコンピュータプログラムプロダクト。
【請求項３４】
前記ＤＣＩは、物理ダウンリンク制御チャネル（ＰＤＣＣＨ）を使用して受信され、前記コンピュータ可読媒体は、物理ダウンリンク共有チャネル（ＰＤＳＣＨ）を使用して受信されるデータを復調するためのコードをさらに備える、請求項２５に記載のコンピュータプログラムプロダクト。
【請求項３５】
前記ＤＣＩは、フォーマット１Ａ、フォーマット１Ｂまたはフォーマット１Ｄのうちの少なくとも１つにおいて受信される、請求項２５に記載のコンピュータプログラムプロダクト。
【請求項３６】
前記ＤＣＩを受信することは、複数のＤＣＩを受信することをさらに備え、前記複数のＤＣＩは、前記ＵＥに関する送信モードに依存して、フォーマット１Ａ、フォーマット１Ｂ、フォーマット１Ｄ、またはフォーマット２のうちの少なくとも１つにおいて受信される、請求項２５に記載のコンピュータプログラムプロダクト。
【請求項３７】
無線通信のための装置であって、
利用可能なアンテナポートの合計数、ユーザ機器（ＵＥ）のためのランクインジケータ、および１つまたは複数のポート割当てビットを含んでいるダウンリンク制御情報（ＤＣＩ）を受信するように、
前記ランクインジケータまたは前記１つまたは複数のポート割当てビットのうち少なくとも１つに基づいて前記ＵＥに割当てられる前記利用可能なアンテナポートの合計数のうちのサブセトを決定するように、
前記割当てられたアンテナポートのセットに対応する基準信号に基づいて復調を実行するように、
構成された処理システム、
を備える装置。
【請求項３８】
前記１つまたは複数のポート割当てビットのうちの１つは、ローカルバーチャルリソースブロック／分散型バーチャルリソースブロック（ＬＶＲＢ／ＤＶＲＢ）フラグを備える、請求項３７に記載の装置。
【請求項３９】
前記処理システムは、前記ランクインジケータが４より大きいとき、前記ランクのみに基づいて前記サブセットを決定するようにさらに構成される、請求項３７に記載の装置。
【請求項４０】
前記処理システムは、時間、周波数、またはコードスペースのうちの少なくとも１つにおける直交化を通じて受信を変更するようにさらに構成される、請求項３７に記載の装置。
【請求項４１】
前記処理システムは、
前記ランクが値よりも小さいまたは等しいということを決定するように、
前記利用可能なアンテナポートの合計数のうちどれが前記ＵＥに対して割当てられるかを決定するために前記１つまたは複数のポート割当てビットを使用するように、
さらに構成される、
請求項３７に記載の装置。
【請求項４２】
前記利用可能なアンテナポートの合計数は、２つのアンテナポートであり、前記ランクインジケータは１であり、前記１つまたは複数のポート割当てビットは単一ビットであり、前記処理システムは、前記単一ビット値に依存して前記利用可能なアンテナポートのうちの一方または他方に前記ＵＥをマッピングするようにさらに構成される、請求項４１に記載の装置。
【請求項４３】
前記単一ビットは、ローカルバーチャルリソースブロック／分散型バーチャルリソースブロック（ＬＶＲＢ／ＤＶＲＢ）フラグである、請求項４２に記載の装置。
【請求項４４】
前記利用可能なアンテナポートの合計数は２よりも大きく、前記処理システムは、少なくとも２つのポート割当てビットを使用するようにさらに構成され、前記少なくとも２つのポート割当てビットおよび前記ランクは、マッピングスキームを適用することによって前記利用可能なアンテナポートの合計数のうちどれが前記ＵＥに割当てられるかを決定するために使用される、請求項４１に記載の装置。
【請求項４５】
前記アンテナポートはＵＥ専用の基準信号（ＵＥ−ＲＳ）である、請求項３７に記載の装置。
【請求項４６】
前記ＤＣＩは物理ダウンリンク制御チャネル（ＰＤＣＣＨ）を使用して受信され、前記処理システムは、物理ダウンリンク共有チャネル（ＰＤＳＣＨ）を使用して受信されるデータを復調するようにさらに構成される、請求項３７に記載の装置。
【請求項４７】
前記ＤＣＩは、フォーマット１Ａ、フォーマット１Ｂまたはフォーマット１Ｄのうちの少なくとも１つにおいて受信される、請求項３７に記載の装置。
【請求項４８】
前記処理システムは、複数のＤＣＩを受信するようにさらに構成され、前記複数のＤＣＩは、前記ＵＥのための送信モードに依存して、フォーマット１、フォーマット１Ａ、フォーマット１Ｂ、フォーマット１Ｄ、またはフォーマット２のうちの少なくとも１つにおいて受信される、請求項３７に記載の装置。
【発明の詳細な説明】
【関連出願への相互参照】
【０００１】
本願は、２００９年７月２日に出願され、「Method and Apparatus to Enable Interpretation of a LVRB/DVRB Flag for UE-RS Offset Indication」と題された米国仮出願番号第６１／２２２，８３４号の利益を主張し、その内容は、その全体においてここにおける参照によりここに組み込まされる。
【技術分野】
【０００２】
本開示は、一般的には通信システムに関し、より具体的には、アンテナポート割当て通信のための方法およびシステムに関する。
【背景技術】
【０００３】
無線通信システムは、電話、ビデオ、データ、メッセージング、およびブロードキャストのような様々なテレコミュニケーションサービスを提供するように広く展開されている。一般的な無線通信システムは、利用可能なシステムリソース（例、帯域幅、伝送パワー）を共有することによって複数のユーザとの通信をサポートすることができる多元接続技術を利用しうる。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
市レベル（municipal）、国レベル（national）、領域レベル（regional）、また、グローバルレベル（global）で異なる無線デバイスが通信することを可能にする共通のプロトコルを提供するために様々なテレコミュニケーション標準でこれらの多元接続技術が採用されてきた。新興テレコミュニケーション標準規格の例は、ロングタームエボリューション（ＬＴＥ）である。ＬＴＥは、第３世代パートナーシッププロジェクト（３ＧＰＰ）によって広められるユニバーサルモバイルテレコミュニケーションシステム（ＵＭＴＳ）モバイル標準規格に対する１セットの強化（a set of enhancement）である。スペクトル効率、より低いコストを改善することによって、モバイルブロードバンドインターネットアクセスをよりよくサポートし、サービスを改善し、新しいスペクトラムを活用し、そして、ダウンリンク（ＤＬ）上でＯＦＤＭＡ、アップリンク（ＵＬ）上でＳＣ−ＦＤＭＡ、そして多入力多出力（ＭＩＭＯ）アンテナ技術を使用して他のオープン規格とよりよく一体化するように設計される。しかしながら、モバイルブロードバンドアクセスの需要が高まり続けると、ＬＴＥ技術においてさらなる改善の必要性がある。望ましくは、これらの改善は、他の多元接続技術と、これらの技術を利用するテレコミュニケーション標準規格に対して、適用可能であるべきである。
【発明の概要】
【０００５】
下記は、このような態様の基本的な理解を提供するために、１つまたは複数の態様の簡略的な概要を提示する。この概要は、すべての熟考された態様の広範囲な全体像ではなく、すべての態様の重要なあるいは決定的な構成要素を識別することも、あるいは、いずれあるいはすべての態様の範囲を詳細に描写することも、意図されていない。その唯一の目的は、後で示される、より詳細な説明の前置きとして、簡略化された形で１つまたは複数の態様のいくつかのコンセプトを示すことである。
【０００６】
１つまたは複数の態様、およびその対応する開示にしたがって、アンテナポート割当ての通信に関連して様々な態様が説明されている。方法は、利用可能なアンテナポートの合計数、ユーザ機器（ＵＥ）のためのランクインジケータ、および１つまたは複数のポート割当てビットを含んでいるダウンリンク制御情報（ＤＣＩ）を受信すること、を備えることができる。さらに、方法は、ランクまたは１つまたは複数のポート割当てビットのうちの少なくとも１つに基づいてＵＥに割当てられる１サブセットの利用可能なアンテナポートの合計数を決定すること、を備えることができる。さらに、方法は、１セットの割当てられたアンテナポートに対応する基準信号に基づいて復調を実行することを備えることができる。
【０００７】
さらに、別の態様は、コンピュータ可読媒体を備えるコンピュータプログラムプロダクトに関する。コンピュータ可読媒体は、利用可能なアンテナポートの合計数、ユーザ機器（ＵＥ）のためのランクインジケータ、および１つまたは複数のポート割当てビットを含んでいるダウンリンク制御情報（ＤＣＩ）を受信するためのコードを含むことができる。さらに、コンピュータ可読媒体は、ランクインジケータまたは１つまたは複数のポート割当てビットのうちの少なくとも１つに基づいてＵＥに割当てられる１サブセットの利用可能なアンテナポートの合計数を決定するためのコード、を含むことができる。さらに、コンピュータ可読媒体は、１セットの割当てられたアンテナポートに対応する基準信号に基づいて復調を実行するためのコード、を含むことができる。
【０００８】
さらに、別の態様は装置に関する。装置は、利用可能なアンテナポートの合計数、ユーザ機器（ＵＥ）のためのランクインジケータ、および１つまたは複数のポート割当てビットを含んでいるダウンリンク制御情報（ＤＣＩ）を受信するための手段、を含むことができる。さらに、装置は、ランクインジケータまたは１つまたは複数のポート割当てビットのうちの少なくとも１つに基づいてＵＥに割当てられる１サブセットの利用可能なアンテナポートの合計数を決定するための手段、を備えることができる。さらに、装置は、１セットの割当てられたアンテナポートに対応する基準信号に基づいて復調を実行するための手段、を備えることができる。
【０００９】
別の態様は、無線通信のための装置に関する。装置は、利用可能なアンテナポートの合計数、ユーザ機器（ＵＥ）のためのランクインジケータ、および１つまたは複数のポート割当てビットを含んでいるダウンリンク制御情報（ＤＣＩ）を受信するように、ランクインジケータまたは１つまたは複数のポート割当てビットのうち少なくとも１つに基づいてＵＥに割当てられる１サブセットの利用可能なアンテナポートの合計数を決定するように、１セットの割当てられたアンテナポートに対応する基準信号に基づいて復調を実行するように、構成された処理システムを含むことができる。
【００１０】
前述および関連の目的の達成のために、１つまたは複数の態様は、ここで十分に説明され、特許請求の範囲で特に指摘された特徴を備えることができる。下記の説明および添付図面は、１つまたは複数の態様のある説明の特徴を詳細に記載している。しかしながら、これらの特徴は、様々な態様の原理が利用されることができるいくつかの様々な方法を示しているが、この説明は、すべてのそのような態様およびそれらの同等物を含むように意図されている。
【図面の簡単な説明】
【００１１】
【図１】図１は、処理システムを利用している装置のためのハードウェアインプリメンテーションの例を図示している図である。
【図２】図２は、ネットワークアーキテクチャの例を図示している図である。
【図３】図３は、アクセスネットワークの例を図示している図である。
【図４】図４は、アクセスネットワークにおける使用のためのフレームストラクチャの例を図示している図である。
【図５】図５は、ＬＴＥにおけるＵＬのための例示的なフォーマットを図示する。
【図６】図６は、ユーザおよび制御プレーンのための無線プロトコルアーキテクチャの例を図示している図である。
【図７】図７は、アクセスネットワークにおける発展型ＮｏｄｅＢ（ｅＮｏｄｅＢ）とＵＥの例を図示する図である。
【図８】図８は、一態様によるアンテナポート割り付けを容易にするためのシステムのブロック図である。
【図９】図９は、無線通信の方法のフローチャートである。
【図１０】図１０は、例示的な装置の機能性を図示する概念ブロック図である。
【詳細な説明】
【００１２】
テレコミュニケーションシステムのいくつかの態様は、様々な装置および方法を参照して示される。これらの装置と方法は、次の詳細な説明に説明されており、様々なブロック、モジュール、コンポーネント、回路、ステップ、プロセス、アルゴリズム等（「構成要素」（elements）と呼ばれる）によって添付図面において図示されている。これらの構成要素は、電子ハードウェア、コンピュータソフトウェア、または、それらのいずれの組み合わせを使用してインプリメントされうる。そのような構成要素がハードウェアまたはソフトウェアとしてインプリメントされるかは、特定のアプリケーションと全体のシステムに課された設計制約によって決まる。
【００１３】
例として、構成要素、または構成要素の任意の部分、または、複数構成要素の任意の組み合わせは、１つまたは複数のプロセッサを含む「処理システム」でインプリメントされうる。プロセッサの例は、マイクロプロセッサ、マイクロコントローラ、デジタル信号プロセッサ（ＤＳＰ）、プログラマブル論理デバイス（ＰＬＤ）、ステートマシン、ゲート制御される論理、ディスクリートハードウェア回路、および、本開示全体にわたって説明される様々な機能を実行するように構成された他の適切なハードウェア、を含む。処理システムにおける１つまたは複数のプロセッサは、ソフトウェアを実行しうる。ソフトウェアは、ソフトウェア、ファームウェア、ミドルウェア、マイクロコード、ハードウェア記述言語、または、別のものと呼ばれようと、命令、命令セット、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行のスレッド、プロシージャ、関数などを意味するように広く解釈されるべきである。ソフトウェアはコンピュータ可読媒体上で存在しうる。コンピュータ可読媒体は、例として、磁気ストレージデバイス（例、ハードディスク、フロッピー（登録商標）ディスク、磁気ストリップ…）、光学ディスク（例、コンパクトディスク（ＣＤ）、デジタル汎用ディスク（ＤＶＤ）…）、スマートカード、また、フラッシュメモリデバイス（例、カード、スティック、キードライブ等）、ランダムアクセスメモリ（ＲＡＭ）、読み出し専用メモリ（ＲＯＭ）、プログラマブルＲＯＭ（ＰＲＯＭ）、消去可能なＰＲＯＭ（ＥＰＲＯＭ）、電気的消去可能なＰＲＯＭ（ＥＥＰＲＯＭ）、レジスタ、リムーバブルディスク、キャリア波、伝送線、または、ソフトウェアを格納または送信するためのいずれの他の適切可能な媒体を含みうる。コンピュータ可読媒体は、処理システムにおいて存在しうる、また、処理システムに対して外付けでありうる、または、処理システムを含む複数のエンティティにわたって散在しうる。コンピュータ可読媒体は、コンピュータプログラムプロダクトにおいて具現化されうる。例えば、コンピュータプログラムプロダクトは、パッケージング材料においてコンピュータ可読媒体を含むことができる。当業者は、特定のアプリケーションと全体システムに課された全体的な設計制約に依存して、本開示全体にわたって示されている説明される機能をいかに最良にインプリメントするかを理解する。
【００１４】
図１は、処理システム１１４を利用している装置１００のためのハードウェアインプリメンテーションの例を図示している概念図である。この例では、処理システム１１４は、バス・アーキテクチャでインプリメントされることができ、一般的にはバス１０２と表される。バス１０２は、処理システム１１４の特定アプリケーションと全体的な設計制約に依存している、任意の数の相互接続しているバスとブリッジを含みうる。バス１０２は、コンピュータ可読媒体１０６によって一般的に表されるコンピュータ可読媒体とプロセッサ１０４によって一般的に表される１つまたは複数のプロセッサを含んでいる様々な回路を一緒にリンクさせる。バス１０２はまた、タイミングソース、周辺機器、電圧調整器、および電力管理回路のような様々な他の回路をリンクさせ、そしてそれらは、当技術分野ではよく知られているので、さらには説明しない。バスインタフェース１０８は、バス１０２とトランシーバ１１０との間でインタフェースを提供する。トランシーバ１１０は、送信媒体上で様々な他の装置と通信するための手段を提供する。装置の性質によっては、ユーザインタフェース１１２（例、キーパッド、ディスプレイ、スピーカー、マイクロフォン、ジョイスティック）もまた提供される。
【００１５】
プロセッサ１０４は、コンピュータ可読媒体１０６上で格納されるソフトウェアの実行を含むバス１０２および一般的な処理を管理することを担う。ソフトウェアは、プロセッサ１０４によって実施されるとき、処理システム１１４に、いずれの具体的な装置について後述される様々な機能を実行させる。コンピュータ可読媒体１０６はまた、ソフトウェアを実行するとき、プロセッサ１０４によって操作されるデータを格納するために使用されうる。
【００１６】
様々な装置を利用しているテレコミュニケーションシステムの例が図２で示されているようなＬＴＥネットワークアーキテクチャを参照して示されている。ＬＴＥネットワークアーキテクチャ２００は、コアネットワーク２０２とアクセスネットワーク２０４と一緒に示されている。この例では、コアネットワーク２０２は、アクセスネットワーク２０４に対してパケット交換サービスを提供するが、当業者は、本開示にわたって提示される様々なコンセプトが回路交換サービスを提供しているコアネットワークに拡張されうるということを容易に理解するであろう。
【００１７】
アクセスネットワーク２０４は、単一の装置２１２とともに示されており、そしてそれは、ＬＴＥアプリケーションではｅＮｏｄｅＢと一般的に呼ばれるが、基地局、ベーストランシーバ局、無線基地局、無線トランシーバ、トランシーバ機能、ベーシックサービスセット（ＢＳＳ）、拡張サービスセット（ＥＳＳ）、または他の何らかの適切な用語で当業者によって呼ばれることもある。ｅＮｏｄｅＢ２１２は、モバイル装置２１４のためにコアネットワーク２０２にアクセスポイントを提供する。モバイル装置の例は、セルラ電話、スマートフォン、セッションイニシエーションプロトコル（ＳＩＰ）フォン、ラップトップ、携帯情報端末（ＰＤＡ）、衛星ラジオ、グローバルポジショニングシステム、マルチメディアデバイス、ビデオデバイス、デジタルオーディオプレイヤー（例、ＭＰ３プレイヤー）、カメラ、ゲームコンソール、または、いずれの他の同様な機能デバイス、を含む。モバイルの装置２１４は、ＬＴＥアプリケーションではユーザ機器（ＵＥ）と一般的に呼ばれているが、当業者によって、モバイル局、加入局、モバイルユニット、加入者ユニット、無線ユニット、遠隔ユニット、モバイルデバイス、無線デバイス、無線通信デバイス、遠隔デバイス、遠隔局、モバイル加入者局、アクセス端末、モバイル端末、無線端末、遠隔端末、ハンドセット、ユーザエージェント、モバイルクライアント、クライアント、または、いくつかの他の適切な用語で呼ばれることもある。
【００１８】
コアネットワーク２０２は、パケットデータノード（ＰＤＮ）ゲートウェイ２０８とサービングゲートウェイ２１０とを含んでいるいくつかの装置と一緒に示されている。ＰＤＮゲートウェイ２０８は、パケットベースのネットワーク２０６にアクセスネットワーク２０４のための接続を提供する。この例では、パケットベースのネットワーク２０６は、インターネットであるが、本開示の全体にわたって提示されるコンセプトは、インターネットアプリケーションに限定されない。ＰＤＮゲートウェイ２０８の主要な機能は、ネットワーク接続をユーザ機器（ＵＥ）２１４に提供することである。データパケットは、ＵＥ２１４がアクセスネットワーク２０４を通じてローミングするとき、ローカルモビリティアンカとしてサービス提供するサービングゲートウェイ２１０を通じてＰＤＮゲートウェイ２０８とＵＥ２１４との間で転送される。
【００１９】
ＬＴＥネットワークアーキテクチャにおけるアクセスネットワークの例が、図３を参照して、提示される。この例では、アクセスネットワーク３００は、多数のセルラ領域（セル）３０２に分割される。ｅＮｏｄｅＢ３０４は、各セル３０２に割当てられ、セル３０２内のすべてのＵＥ３０６のために、コアネットワーク２０２（図２を参照）にアクセスポイントを提供するように構成される。この例のアクセスネットワーク３００では集中型コントローラはないが、集中型コントローラは、代替の設定で使用されうる。ｅＮｏｄｅＢ３０４は、無線ベアラ制御、承認制御、モビリティ制御、スケジューリング、セキュリティ、そして、コアネットワーク２０２（図２参照）におけるサービングゲートウェイへの接続性を含んでいるすべての無線関連の機能を担う。
【００２０】
アクセスネットワーク３００によって利用される変調および多元接続スキームは、展開されている特定のテレコミュニケーション基準によって異なりうる。ＬＴＥアプリケーションでは、周波数分割デュプレキシング（ＦＤＤ）と時分割デュプレキシング（ＴＤＤ）の両方をサポートするために、ＯＦＤＭはＤＬ上で使用され、ＳＣ−ＦＤＭＡはＵＬ上で使用される。当業者は、下記に続く詳細な説明から容易に理解するように、ここにおいて提示される様々なコンセプトがＬＴＥアプリケーションについて適切である。しかしながら、これらのコンセプトは、他の変調および多元接続技術を利用している他のテレコミュニケーション標準規格に容易に拡張しうる。例えば、これらのコンセプトは、エボリューション−データ最適化（Evolution-Data Optimized）（ＥＶ−ＤＯ）または、ウルトラモバイルブロードバンド（ＵＭＢ）に拡張されうる。ＥＶ−ＤＯおよびＵＭＢは、ＣＤＭＡ２０００ファミリの規格の一部として第３世代パートナーシッププロジェクト２（３ＧＰＰ２）により広められている無線インタフェース規格であり、モバイル局に対してブロードバンドインターネットアクセスを提供するためにＣＤＭＡを利用する。これらのコンセプトはまた、広帯域ＣＤＭＡ（Ｗ−ＣＤＭＡ）とＣＤＭＡの他の変形、例えばＴＤ−ＳＣＤＭＡを使用しているユニバーサル地上無線アクセス（ＵＴＲＡ）と；ＴＤＭＡを利用しているモバイル通信のためのグローバルシステム（ＧＳＭ（登録商標））；そして発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０およびＯＦＤＭＡを利用しているＦｌａｓｈ−ＯＦＤＭ；に拡張されうる。ＵＴＲＡ、Ｅ−ＵＴＲＡ、ＵＭＴＳ、ＬＴＥおよびＧＳＭは、３ＧＰＰ団体の文書の中で説明されている。ＣＤＭＡ２０００とＵＭＢは、３ＧＰＰ２団体の文書の中で説明されている。実際の無線通信標準規格と利用される多元接続技術は、特定アプリケーションとシステム全体に課される全体的な設計制約に依存する。
【００２１】
ｅＮｏｄｅＢ３０４は、ＭＩＭＯ技術をサポートする複数のアンテナを有しうる。ＭＩＭＯ技術を使用することは、空間多重化、ビームフォーミング、そして送信ダイバーシティをサポートするために空間領域をｅＮｏｄｅＢ３０４が利用することを可能にする。
【００２２】
空間多重化は、データの異なるストリームを同時に同じ周波数上で送信するために使用されうる。データストリームは、データレートを増やすために単一のＵＥ３０６に対して、または、全体的なシステムキャパシティを増やすために複数ＵＥ３０６に対して、送信されうる。このことは、各データストリームを空間的にプリコードし、そして、ダウンリンク上で異なる送信アンテナを通じて各空間的にプリコードされたストリームを送信することによって達成される。空間的にプリコードされたデータストリームは、異なる空間シグネチャでＵＥ（単数または複数）３０６に到達し、そしてそれは、ＵＥ（単数または複数）３０６の各々がそのＵＥ３０６宛ての１つまたは複数のデータストリームを回復することを可能にする。アップリンク上で、各ＵＥ３０６は、空間的にプリコードされたデータストリームを送信し、そしてそれは、各空間的にプリコードされたデータストリームのソースをｅＮｏｄｅＢ３０４が識別することを可能にする。
【００２３】
空間多重化は、チャネル状態が良好なときに、一般的に使用される。チャネル状態があまり有利でないときには、１つまたは複数の方向に伝送エネルギーをフォーカスするために、ビームフォーミングが使用されうる。これは、複数のアンテナを通じた送信のためにデータを空間的にプリコードすることによって達成されうる。セルの端で良好なカバレッジを達成するために、シングルストリームビームフォーミング送信が送信ダイバーシティと組み合わせて使用されうる。
【００２４】
下記の説明では、アクセスネットワークの様々な態様がダウンリンク上でＯＦＤＭをサポートしているＭＩＭＯシステムに関連して記述される。ＯＦＤＭは、ＯＦＤＭシンボル内の多数のサブキャリア上でデータを変調する、スペクトラム拡散技術である。サブキャリアは、正確な周波数で離れた間隔をあけられる。間隔をあけること（spacing）は、受信機がサブキャリアからデータを回復することを可能にする「直交性」を提供する。時間領域では、ガードインターバル（例、サイクリックプリフィックス）は、インターＯＦＤＭシンボル干渉に取り組むために各ＯＦＤＭシンボルに対して追加されうる。アップリンクは、ＤＦＴ拡散ＯＦＤＭ信号の形でＳＣ−ＦＤＭＡを使用して高いピーク対平均パワー比（ＰＡＲＲ）を補償しうる。
【００２５】
様々なフレーム構造が、ＤＬおよびＵＬ送信をサポートするために使用されうる。ＤＬフレーム構造の例は、図４を参照して提示される。しかしながら、当業者が容易に理解するように、いずれの特定のアプリケーションについてのフレーム構造は、任意の数の要因によって、異なりうる。この例では、フレーム（１０ｍｓ）は、同じサイズの１０のサブフレームへと分割される。各サブフレームは、２つの連続時間スロットを含む。
【００２６】
リソースグリッドは、２つの時間スロットを表すために使用されることができ、各２つの時間スロットは、リソースブロックを含む。リソースグリッドは、複数のリソースエレメントへと分けられる。ＬＴＥでは、リソースブロックは、周波数領域において１２の連続サブキャリアを含み、各ＯＦＤＭシンボルにおける通常のサイクリックプリフィックスに関しては、時間領域において７つの連続ＯＦＤＭシンボルを含み、すなわち、８４のリソースエレメントを含む。Ｒ４０２、４０４で示されている、リソースエレメントのうちのいくつかは、ＤＬ基準信号（ＤＬ−ＲＳ）を含む。ＤＬ−ＲＳは、Ｃｅｌｌ専用ＲＳ（ＣＲＳ）（時折共通ＲＳとも呼ばれる）４０２とＵＥ専用ＲＳ（ＵＥ−ＲＳ）４０４を含む。ＵＥ−ＲＳ４０４は、対応する物理ダウンリンク共有チャネル（ＰＤＳＣＨ）がマッピングされるリソースブロック上でのみ、送信される。各リソースエレメントによって搬送されるビットの数は、変調スキームに依存する。したがって、ＵＥが受信するリソースブロックが多ければ多いほど、また、変調スキームが高ければ高いほど、ＵＥについてのデータレートも高くなる。
【００２７】
ＵＬフレーム構造の例が、図５を参照して提示される。図５は、ＬＴＥにおけるＵＬのための例示的なフォーマットを示す。ＵＬのための利用可能なリソースブロックは、データセクションと制御セクションへと分割されうる。制御セクションは、システム帯域幅の２つのエッジで形成されうる、そして、設定可能なサイズを有しうる。制御セクションにおけるリソースブロックは、制御情報の送信のためにＵＥに対して割当てられうる。データセクションは、制御セクションに含まれないすべてのリソースブロックを含みうる。図５の設計は、連続サブキャリアを含んでいるデータセクションを結果としてもたらし、単一のＵＥがデータセクションにおいて連続サブキャリアのすべてを割当てることを許容しうる。
【００２８】
ＵＥは、ｅＮｏｄｅＢに制御情報を送信するために、制御セクションにおいてリソースブロック５１０ａ、５１０ｂを割当てられうる。ＵＥはまた、ｅＮｏｄｅＢに対してデータを送信するために、データセクションにおいてリソースブロック５２０ａ，５２０ｂを割当てられうる。ＵＥは、制御セクションにおいて割当てられたリソースブロック上で、物理アップリンク制御チャネル（ＰＵＣＣＨ）で制御情報を送信しうる。ＵＥは、データセクションにおいて割当てられたリソースブロック上で、物理的アップリンク共有チャネル（ＰＵＳＣＨ）で、データのみ、または、データ且つ制御情報を送信しうる。ＵＬ送信は、図５で示されているように、サブフレームの両スロットにおよび、また、周波数をホップしうる。
【００２９】
図５に示されているように、１セットのリソースブロックが、初期システムアクセスを実行し、物理ランダムアクセスチャネル（ＰＲＡＣＨ）でＵＬ同期化を達成するために使用されうる。ＰＲＡＣＨは、ランダムシーケンスを搬送し、ＵＬデータ／シグナリングを搬送することはできない。各ランダムアクセスプリアンブルは、６つの連続リソースブロックに対応する帯域幅を占める。開始周波数は、ネットワークによって指定される。すなわち、ランダムアクセスプリアンブルの送信は、ある時間リソースおよび周波数のリソースに制約される。ＰＲＡＣＨに関して周波数ホッピングはない。ＰＲＡＣＨの試みは、単一のサブフレーム（１ｍｓ）で搬送され、ＵＥは、フレームあたり（１０ｍｓ）１つのＰＲＡＣＨの試みだけを行うことができる。
【００３０】
ＬＴＥのＰＵＣＣＨ、ＰＵＳＣＨ、およびＰＲＡＣＨは、「Evolved Universal Terrestrial Radio Access （E-UTRA）; Physical Channels and Modulation」と題された３ＧＰＰ  ＴＳ  ３６．２１１で説明されており、公的に利用可能である。
【００３１】
無線プロトコルアーキテクチャは、特定のアプリケーションに依存して、様々な形態をとりうる。ＬＴＥシステムの例が、図６を参照して、提示される。図６は、ユーザプレーンおよび制御プレーンのための無線プロトコルアーキテクチャの例を図示している概念図である。
【００３２】
図６に戻ると、ＵＥとｅＮｏｄｅＢについての無線プロトコルアーキテクチャが、層１、層２、そして層３と、３つの層で示されている。層１は、最下層であり、様々な物理層の信号処理機能をインプリメントする。層１は、ここでは物理層６０６と呼ばれる。層２（Ｌ２層）６０８は、物理層６０６より上にあり、物理層６０６上でＵＥとｅＮｏｄｅＢとの間のリンクを担う。
【００３３】
ユーザプレーンでは、Ｌ２層６０８は媒体アクセス制御（ＭＡＣ）サブ層６１０、無線リンク制御（ＲＬＣ）サブ層６１２、およびパケットデータ収束プロトコル（ＰＤＣＰ）６１４サブ層を含んでおり、それらはネットワーク側のｅＮｏｄｅＢにおいて終了する。図示されていないが、ＵＥは、ネットワーク側のＰＤＮゲートウェイ２０８（図２参照）で終了するネットワーク層（例、ＩＰ層）と、接続の他の端（例、遠端ＵＥ（far end UE）、サーバなど）で終了するアプリケーション層と、を含んでいるＬ２層６０８より上のいくつかの上層を有しうる。
【００３４】
ＰＤＣＰサブ層６１４は、異なる無線ベアラと論理チャネルとの間の多重化を提供する。ＰＤＣＰサブ層６１４はまた、無線送信オーバヘッドを減らすために上層データパケットのためのヘッダ圧縮、データパケットを解読することによるセキュリティ、そして、ｅＮｏｄｅＢ間のＵＥのためのハンドオーバサポート、を提供する。ＲＬＣサブ層６１２は、ハイブリッド自動繰り返し要求（ＨＡＲＱ）によりアウト・オブ・オーダー受信を補償するために、上層データパケットのセグメンテーションおよびリアセンブリ、失われたデータパケットの再送信、そして、データパケットの再順序を提供する。ＭＡＣサブ層６１０は、論理チャネルとトランスポートチャネルとの間の多重化を提供する。さらに、ＭＡＣサブ層６１０はまた、ＵＥの中の１つのセルにおいて様々な無線リソース（例、リソースブロック）を割り付けることを担う。ＭＡＣサブ層６１０はまた、ＨＡＲＱオペレーションを担う。
【００３５】
制御プレーンでは、ＵＥとｅＮｏｄｅＢのための無線プロトコルアーキテクチャは、制御プレーンのヘッダ圧縮機能がないということを除いては、物理層６０６とＬ２層６０８と実質的には同じである。制御プレーンはまた、層３において、無線リソース制御（ＲＲＣ）サブ層６１６を含む。ＲＲＣサブ層６１６は、無線リソース（すなわち、無線ベアラ）を得ることと、ｅＮｏｄｅＢとＵＥとの間のＲＲＣシグナリングを使用してより低い層を構成することを担う。
【００３６】
図７は、アクセスネットワークにおいてＵＥ７５０と通信しているｅＮｏｄｅＢ７１０のブロック図である。ＤＬでは、コアネットワークからの上層パケットは、コントローラ／プロセッサ７７５に対して提供される。コントローラ／プロセッサ７７５は、図６に関連して前述されるＬ２層の機能をインプリメントする。ＤＬでは、コントローラ／プロセッサ７７５は、ヘッダ圧縮、暗号化、パケットセグメンテーションおよび並び替え、ロジカルチャネルとトランスポートチャネルとの間の多重化、および様々なプライオリティメトリクスに基づいたＵＥ７５０への無線リソース割り付けを提供する。コントローラ／プロセッサ７７５はまた、ＨＡＲＱオペレーション、失われたパケットの再送信、そして、ＵＥ７５０へのシグナリングを担う。
【００３７】
ＴＸプロセッサ７１６は、Ｌ１層（すなわち物理層）の様々な信号処理機能をインプリメントする。信号処理機能は、ＵＥ７５０で順方向誤差訂正（ＦＥＣ）を容易にするために符号化しインタリーブすることと、様々な変調スキーム（例、バイナリ位相シフトキーイング（ＢＰＳＫ）、直角位相シフトキーイング（ＱＰＳＫ）、Ｍ位相シフトキーイング（Ｍ−ＰＳＫ）、Ｍ直交振幅変調（Ｍ−ＱＡＭ））に基づいて信号コンスタレーションにマッピングすることと、を含む。符号化され変調されたシンボルは、並列ストリームに分けられる。各ストリームは、ＯＤＤＭサブキャリアにマッピングされ、時間および／または周波数領域において基準信号（例、パイロット）で多重化され、そして、逆高速フーリエ変換（ＩＦＦＴ）を使用して一緒に組み合わせて、時間領域ＯＦＤＭシンボルストリームを搬送している物理チャネルを生成する。ＯＦＤＭストリームは、空間的にプレコードされて複数の空間ストリームを生成する。チャネル推定器７７４からのチャネル推定値は、空間処理に加え、符号化および変調スキームを決定するために使用されうる。チャネル推定値は、ＵＥ７５０によって送信される、基準信号および／またはチャネル状態フィードバックから導出されうる。各空間ストリームは、個別の送信機７１８ＴＸを介して異なるアンテナ７２０に対して提供される。各送信機７１８ＴＸは、送信のためにそれぞれの空間ストリームでＲＦキャリアを変調する。
【００３８】
ＵＥ７５０で、各受信機７５４ＲＸは、そのそれぞれのアンテナ７５２を通じて、信号を受信する。各受信機７５４ＲＸは、ＲＦキャリア上へと変調される情報を回復し、受信機（ＲＸ）データプロセッサ７５６に対して情報を提供する。
【００３９】
ＲＸデータプロセッサ７５６は、Ｌ１層の様々な信号処理機能をインプリメントする。ＲＸデータプロセッサ７５６は、ＵＥ７５０宛てのいずれの空間ストリームを回復するために情報に対して空間処理を実行する。複数の空間ストリームがＵＥ７５０宛てである場合、それらは、ＲＸデータプロセッサ７５６によって合成されてシングルＯＦＤＭシンボルストリームとなされうる。ＲＸデータプロセッサ７５６は、高速フーリエ変換（ＦＦＴ）を使用して、時間領域から周波数領域へと、ＯＦＤＭシンボルストリームを変換する。周波数領域信号は、ＯＦＤＭ信号の各サブキャリアのための別個のＯＦＤＭシンボルストリームを備える。各サブキャリア上のシンボル、そして基準信号は、ｅＮｏｄｅＢ７１０によって送信される最も可能性のある信号コンスタレーションの点を決定することによって、回復され、復調される。これらのソフト判定は、チャネル推定器７５８によって計算されるチャネル推定値に基づくことができる。ソフト判定は、そのあとで、復号されデインタリーブされて、物理チャネル上でｅＮｏｄｅＢ７１０によって当初送信されたデータおよび制御信号を回復する。その後、データと制御信号は、コントローラ／プロセッサ７５９に対して供給される。
【００４０】
コントローラ／プロセッサ７５９は、図６に関連して前述されるようなＬ２層をインプリメントする。ＵＬでは、コントロール／プロセッサ７５９は、トランスポートチャネルとロジカルチャネルとの間のデマルチプレクシングと、パケットリアセンブリと、解読と、ヘッダ解凍（header decompression）、制御信号処理を提供して、コアネットワークから上層パケットを回復する。上層パケットは、データシンク７６２に対して提供され、そしてそれは、Ｌ２層より上のすべてのプロトコル層を表す。様々な制御信号はまた、Ｌ３処理のためにデータシンク７６２に対して供給されうる。コントローラ／プロセッサ７５９はまた、ＨＡＲＱオペレーションをサポートするために、アクナレッジメント（ＡＣＫ）および／またはネガティブアクナレッジメント（ＮＡＣＫ）プロトコルを使用するエラー検出を担う。
【００４１】
ＵＬでは、データソース７６７は、コントローラ／プロセッサ７５９に対して上層パケットを提供するために使用される。データソース７６７は、Ｌ２層（Ｌ２）より上のすべてのプロトコル層を表す。ｅＮｏｄｅＢ７１０によるＤＬ送信に関連して説明される機能と同様に、コントローラ／プロセッサ７５９は、ヘッダ圧縮、暗号化、パケットセグメンテーションおよび並び替え、そして、ｅＮｏｄｅＢ７１０による無線リソース割り付けに基づいたロジカルチャネルとトランスポートチャネルとの間の多重化、を提供することによってユーザプレーンと制御プレーンについてのＬ２層をインプリメントする。コントローラ／プロセッサ７５９はまた、ＨＡＲＱオペレーション、失われたパケットの再送信、そして、ｅＮｏｄｅＢ７１０へのシグナリングを担う。
【００４２】
基準信号からチャネル推定器７５８によって導出されるチャネル推定値またはｅＮｏｄｅＢ７１０によって送信されるフィードバックは、適切な符号化および変調スキームを選択するために、そして、空間処理を容易にするために、ＴＸデータプロセッサ７６８によって使用されうる。ＴＸデータプロセッサ７６８によって生成される空間ストリームは、別個送信機７５４ＴＸを介して異なるアンテナ７５２に対して提供される。各送信機７５４ＴＸは、送信のためにそれぞれの空間ストリームでＲＦキャリアを変調する。
【００４３】
ＵＬ送信は、ＵＥ７５０における受信機機能と関連して説明されているものと同様な方法でｅＮｏｄｅＢ７１０において処理される。各受信機７１８ＲＸは、そのそれぞれのアンテナ７２０を通じて、信号を受信する。各受信機７１８ＲＸは、ＲＦキャリア上へと変調される情報を回復し、受信機（ＲＸ）データプロセッサ７７０に対して情報を提供する。ＲＸプロセッサ７７０はＬ１層をインプリメントする。
【００４４】
コントローラ／プロセッサ７５９は、図６に関連して前述されたようなＬ２層をインプリメントする。ＵＬでは、コントローラ／プロセッサ７５９は、トランスポートチャネルとロジカルチャネルとの間のデマルチプレクシングと、パケットリアセンブリと、解読と、ヘッダ解凍、制御信号処理を提供して、ＵＥ７５０から上層パケットを回復する。コントローラ／プロセッサ７７５からの上層パケットは、コアネットワークに対して提供されうる。コントローラ／プロセッサ７５９はまた、ＨＡＲＱオペレーションをサポートするために、ＡＣＫおよび／またはＮＡＣＫプロトコルを使用するエラー検出を担う。
【００４５】
図１に関して記述された処理システム１００は、ＵＥ７５０を含んでいる。具体的には、処理システム１００は、ＴＸプロセッサ７６８、ＲＸプロセッサ７５６、およびコントローラ／プロセッサ７５９を含む。
【００４６】
図８を参照すると、無線通信システムにおける通信のためのアンテナポート割り付けを容易にするためのシステム８００のブロック図が図示される。システム８００は、１つまたは複数のｅＮｏｄｅＢ８２０および１つまたは複数のＵＥ８１０（例えば、無線通信デバイス（ＷＣＤ））を含みうる、そしてそれは、それぞれのアンテナ８２６および８１６を介して通信することができる。一態様では、ｅＮｏｄｅＢ８２０は、アクセスネットワーク（ＡＮ）として機能しうる。一態様では、ｅＮｏｄｅＢ８２０は、アンテナ８２６を介してＵＥ８１０に対してダウンリンク（ＤＬ）通信を行うことができる。さらに、ｅＮｏｄｅＢ８２０は、リソース割り付けモジュール８２２を含みうる、そしてそれは、ランクモジュール８２４とリソースフラグモジュール８２５を含みうる。一態様では、リソース割り付けモジュール８２２は、限定されてはいないが、例えば、シングルアンテナポート、送信ダイバーシティ、オープンループ特別多重化、クローズドループ特別多重化、マルチユーザＭＩＭＯ（ＭＵ−ＭＩＭＯ）、クローズドループランクが１のプレコーディング（closed loop rank equals 1 precoding）、ポート５のシングルアンテナポートなどのようなさまざまな送信モードごとにＵＥ８１０を設定しうる。一態様では、このような設定は、半静的に行われうる。さらに、リソース割り付けモジュール８２２は、複数の利用可能なアンテナポートのうちどれがＵＥ８１０との通信に使用されうるかを示すことができる。一態様では、ランクモジュール８２４は、ランクインジケーション（ＲＩ）を含みうる。一態様では、ＲＩは、送信に利用可能な多数の層（アンテナポート、ＵＥ−ＲＳ、など）を示すことができる。さらに、リソースフラグモジュール８２５は、ＵＥ−ＲＳが通信のために割当てられうるということをさらに示すために１つまたは複数のフラグ（例、ビット）をＵＥ８１０へのＤＬ通信の中に含めることができる。
【００４７】
ＵＥ８１０では、ＤＬ通信は、アンテナ８１６を介してアクセスモジュール８１２によって受信されうる。一態様では、ＤＬ通信は、物理ダウンリンク制御チャネル（ＰＤＣＣＨ）に伴って起こりうる（accompanied with）。このような一態様では、ＤＬ通信は、動的スケジューリングを通じてＰＤＣＣＨを明示的に伴って起こりうる。別の態様では、ＤＬ通信は、半持続的にスケジュールされる、非適合ＤＬ送信などを通じてＰＤＣＣＨで暗黙的に伴って起こりうる。さらに、ＰＤＣＣＨは、ダウンリンク制御情報（ＤＣＩ）を搬送しうる。一態様では、ＤＣＩは、様々なフォーマットを使用して通信されうる。例えば、ＬＴＥシステムでは、フォーマット１Ａは、シングルコードワードＰＤＳＣＨ送信のためのリソース割当てのコンパクトシグナリングのために、および、ＵＥに専用プリアンブルシグネチャを割り付けるために、使用されうる。さらに、例えばフォーマット０とフォーマット１Ａ間で区別するフラグと、ローカライズされたまたは分散されたバーチャルリソースブロック（ＬＶＲＢ／ＤＶＲＢ）マッピングモードが使用されうるかを示すフラグ、リソースブロック割当て、ＨＡＲＱ情報、アップリンク制御情報のための電力制御コマンド、のような様々な構成要素がＤＣＩフォーマット１Ａに含まれうる。さらに、ＬＴＥシステムでは、フォーマット１Ａ、１Ｂ、および１Ｄの各々は、ローカライズされたまたは分散されたＶＲＢが割当てのために使用されうるか否かについて示すためにＬＶＲＢ／ＤＶＲＢフラグを含むことができる。このような態様では、ローカライズされたＶＲＢ割当ては、ＰＤＳＣＨによって使用されるリソースが周波数領域において連続的であり、サブフレーム内でホップしないということを示すことができる。別の態様では、分散型の割当ては、リソースが周波数において非連続的であり、サブフレームにおける２つのスロット間でホップしうるということを示すことができる。
【００４８】
さらに、ＵＥ８１０は、どのアンテナポートがＵＥ８１０に対して割当てられたかを決定することが動作可能なＵＥ−ＲＳ割当てモジュール８１４を含みうる。ホッピングが存在していないシステムでは、ＬＶＲＢ／ＤＶＲＢフラグは、例えばさまざまなＵＥ−ＲＳに使用されるアンテナポートを示すような他の使用に関して利用可能でありうる。例えば、ＬＴＥリリース８では、ホッピングは存在しうるが、ＬＴＥリリース９では、ホッピングは存在しない。さらに、ＬＴＥリリース９では、二重層のビームフォーミングがサポートされうる。このような構成では、ＭＵ−ＭＩＭＯをサポートするために、ＵＥ−ＲＳ割当てモジュール８１４は、どのＵＥ−ＲＳがペアのＭＵ−ＭＩＭＯオペレーションにおいて各ＵＥに使用されうるかを示すために、さらなる構成要素を使用しうる。ある態様では、さらなる構成要素は、ＬＶＲＢ／ＤＶＲＢフラグでありうる。別の態様では、２つの起こりうるアンテナポートがＭＵ−ＭＩＭＯにおいて割当てられうるが、単一ビットが、どのアンテナポートが割当てられるかを示す、ＵＥ−ＲＳ割当てモジュール８１４に対して十分であることがある。例えば、ＬＴＥリリース９では、アンテナポート７および８は、ＭＵ−ＭＩＭＯ使用のために割当てられうる。このようなアンテナポートは、それぞれ、ＵＥ−ＲＳ０とＵＥ−ＲＳ１と呼ばれる。さらに別の態様では、２よりも多いアンテナポートはＭＵ−ＭＩＭＯに対して割当てられるが、複数のビットが、どのアンテナポートが割当てられるかを示すＵＥ−ＲＳ割当てモジュール８１４によって使用されうる。一態様では、複数のビットは、ＬＶＲＢ／ＤＶＲＢフラグとＴＢｓｗａｐフラグとを含みうる。さらに、ＲＩおよびＵＥ−ＲＳオフセットのようなさらなる情報が、どのＵＥ−ＲＳがこのＵＥに対して割当てられるかをＵＥ８１０に示すために使用されうる。例えば、オフセット値０およびランク２は、ＵＥ−ＲＳ０および１はＵＥ８１０に割当てられるということを示し、オフセット値１およびランク２は、ＵＥ−ＲＳ２および３はＵＥ８１０に対して割当てられるということを示す。
【００４９】
一態様では、ＵＥ８１０は、様々なＤＬ送信モードごとに設定されうる。各ＤＬ送信モードは２つのＤＣＩフォーマットと関連づけられうる、そのうち１つはＤＣＩフォーマット１Ａでありうる、また、他のＤＣＩフォーマットは、指定された送信モードに依存しうる。様々な送信モードおよびそれらのそれぞれのＤＣＩフォーマットの表が表１を参照して提供される。
【表１】
2014212536.tif 000003
【００５０】
さらに、一態様では、アンテナポートは、時間および／または周波数および／またはコードスペースにおいて直交でありうる。一態様では、ＵＥ８１０は、１５のアンテナポートを有しうる。このような一例では、アンテナポート０〜３は、ＣＲＳ情報を通信するために、ポート４は、発展型マルチメディアブロードキャストマルチキャストサービス（ｅＭＢＭＳ）情報を通信するために、ポート５はＬＴＥリリース８ＵＥ−ＲＳ（例、ＤＲＳ）を通信するために、ポート６は、ポジショニングＲＳ（positioning RS）を通信するために、そして、ポート７−１４は、ＵＥ−ＲＳ０〜ＵＥ−ＲＳ７を通信するために、使用されうる。
【００５１】
別の態様では、ＵＥ８１０は、アクセスモジュール８１２によって決定される情報を使用してアンテナ８１６を介してｅＮｏｄｅＢ８２０に対してアップリンク（ＵＬ）通信を行うことができる。ｅＮｏｄｅＢ８２０において、ＵＬ通信は、アンテナ８２６のうち１つまたは複数を介して受信されうる。
【００５２】
図９は、提示される主題の事柄の様々な態様にしたがって様々な方法を図示する。説明を簡略にするために、方法は一連の動作として示され、そして説明されているが、特許請求された主題の事柄は動作の順序によって制限されていないということが認識され、理解されるべきであり、いくつかの動作は、ここにおいて示され説明されたものと他の動作と同時に、および／または、異なる順序で生じうる。例えば、当業者は、方法は、状態図におけるような、一連の相互関連づけられた状態あるいはイベントとして代替的に表されることができるであろうということを理解し、認識するであろう。さらに、図示されているすべての動作は、特許請求された主題の事柄による方法をインプリメントすることを必ずしも必要としない。さらに、下記および本明細書全体にわたって開示された方法は、このような方法をコンピュータにトランスポートし、転送することを容易にするために、製造品上で格納されることができるということがさらに理解されるべきである。用語「製造品（article of manufacture）」は、ここにおいて使用されているように、いずれのコンピュータ可読デバイス、キャリア、あるいは媒体からアクセス可能なコンピュータプログラムを含むように意図されている。
【００５３】
図９は、無線通信の方法のフローチャート９００である。方法は、ＤＣＩを受信することを含む（９０２）。一態様では、ＤＣＩは、利用可能なアンテナポートの合計数、ＵＥのためのランクインジケータ、および１つまたは複数のポート割当てビットを含みうる。一態様では、１つまたは複数の割当てビットのうちの１つは、ローカルバーチャルリソースブロック／分散型バーチャルリソースブロック（ＬＶＲＢ／ＤＶＲＢ）フラグを含みうる。一態様では、利用可能なポートの合計数は、２つのアンテナポートでありうる、ランクインジケータは１でありうる、１つまたは複数のポート割当てビットは単一ビットでありうる、そのためＵＥに対して割当てられた１サブセットのアンテナポートは単一ビットに基づいて決定されうる。このような一態様では、単一ビットはＬＶＲＢ／ＤＶＲＢフラグである。別の態様では、利用可能なポートの合計数は、２よりも大きくてもよい、このため、マッピングスキームが、利用可能なアンテナポートの合計数のうちどれがＵＥに対して割当てられるかを決定するために、使用されうる。さらに別の態様では、アンテナポートはＵＥ−ＲＳである。別の態様では、ＤＣＩは、ＰＤＣＣＨを使用して受信されうる。別の態様では、ＤＣＩは、フォーマット１Ａ、フォーマット１Ｂ、またはフォーマット１Ｄのうち少なくとも１つにおいて受信されうる。別の態様では、受信されたＤＣＩは、複数のＤＣＩを含むことができ、複数のＤＣＩは、ＵＥのための送信モードに依存して、フォーマット１、フォーマット１Ａ、フォーマット１Ｂ、フォーマット１Ｄ，またはフォーマット２のうちの少なくとも１つにおいて受信されうる。
【００５４】
さらに、方法は、１サブセットの利用可能なアンテナポートの合計数を決定することを含む（９０４）。一態様では、アンテナポートは、ランクまたは１つまたは複数のポート割当てビットのうち少なくとも１つに基づいてＵＥに割当てられうる。別の態様では、サブセットの決定は、ランクインジケータが値よりも大きいときランクのみに基づくことができる。このような態様では、ＵＥは、他のＵＥはそれと多重化されないということを想定しうる、そのため、ランク単独に基づいてアンテナポートを割当てうる。一例では、サブセットの決定は、４よりも大きくないランク値に制限されうる。さらに、別の態様では、ランクが値よりも小さいまたは値と等しい場合には、サブセットの決定は、１つまたは複数のポート割当てビットを分析することを通じて達成されうる。一態様では、ポート割当てビットは、ＵＥ−ＲＳオフセットを示すことができる。例えば、オフセット値０およびランク２は、ＵＥ−ＲＳ０および１はＵＥに割当てられるということを示し、オフセット値１およびランク２は、ＵＥ−ＲＳ２および３はＵＥに対して割当てられるということを示す。
【００５５】
さらに、方法は、１セットの割当てられたアンテナポートに対応する基準信号に基づいて復調を実行することを含む（９０６）。一態様では、ＵＥ−ＲＳポートは、時間および／または周波数および／またはコードスペースにおいて直交でありうる。
【００５６】
図１０は、例示的な装置１００の機能を図示している概念的なブロック図１０００である。装置１００は、利用可能なアンテナポートの合計数、ユーザ機器（ＵＥ）のためのランクインジケータ、および１つまたは複数のポート割当てビットを含んでいるＤＣＩを受信するモジュール１００２と、ランクインジケータまたは１つまたは複数のポート割当てビットのうち少なくとも１つに基づいてＵＥに割当てられる１サブセットの利用可能なアンテナポートの合計数を決定するモジュール１００４と、１セットの割当てられたアンテナポートに対応する基準信号に基づいて復調を実行するモジュール１００６と、を含む。
【００５７】
一構成では、無線通信のための装置１００は、利用可能なアンテナポートの合計数、ユーザ機器（ＵＥ）のためのランクインジケータ、および１つまたは複数のポート割当てビットを含んでいるＤＣＩを受信するための手段と、ランクまたは１つまたは複数のポート割当てビットのうち少なくとも１つに基づいてＵＥに割当てられる１サブセットの利用可能なアンテナポートの合計数を決定するための手段と、１セットの割当てられたアンテナポートに対応する基準信号に基づいて復調を実行するための手段と、を含む。さらに、装置１００は、ランクインジケータが値よりも大きい場合にはランクのみに基づいてサブセットを決定するための手段、を含む。一態様では、値は４と等しい。さらに、装置１００は、時間、周波数、またはコードスペースのうちの少なくとも１つにおける直交化を通じて受信を変更するための手段、を含む。さらに、装置１００は、ランクは値より小さいまたは等しいということを決定するための手段と、利用可能なアンテナポートの合計数のうちどれがＵＥに対して割当てられるかを決定するために１つまたは複数のポート割当てビットを使用するための手段と、を含む。さらに、装置１００は、単一ビット値に依存して利用可能なアンテナポートのうち一方または他方にＵＥをマッピングするための手段、を含む。さらに、装置１００は、少なくとも２つのポート割当てビットを使用するための手段、を含む。このような態様では、少なくとも２つのポート割当てビットおよびランクは、マッピングスキームを適用することによって利用可能なアンテナポートの合計数のうちどれがＵＥに割当てられるかを決定するために使用されうる。さらに、装置１００は、ＰＤＳＣＨを使用して受信されるデータを復調するための手段、を含む。さらに、装置１００は、複数のＤＣＩを受信するための手段、を含む。このような態様では、複数のＤＣＩは、フォーマット１Ａで、また、ＵＥのための送信モードに依存して、フォーマット１、フォーマット１Ａ、フォーマット１Ｂ、フォーマット１Ｄ、またはフォーマット２のうち少なくとも１つにおいて受信されうる。前述の手段は、前述の手段によって記載された機能を実行するように構成された処理システム１１４である。上述されるように、処理システム１１４は、ＴＸプロセッサ７６８、ＲＸプロセッサ７５６、およびコントローラ／プロセッサ７５９を含む。そのため、一構成では、前述の手段は、ＴＸプロセッサ７６８、ＲＸプロセッサ７５６、および、前述の手段により記載された機能を実行するように構成されたコントローラ／プロセッサ７５９であってもよい。
【００５８】
開示されるプロセスにおけるステップの特定の順序あるいは階層は例示的なアプローチの例示であるということは理解される。設計の優先度に基づいて、プロセスにおけるステップの特定の順序あるいは階層は再配列されることができるということは、理解される。添付の方法クレームは、サンプル順序における様々なステップの構成要素を表わしており、表されている特定の順序あるいは階層に限定されるべきであると意味していない。
【００５９】
上記の説明は、いずれの当業者がここにおいて説明される様々な態様を実行することを可能にするように提供されている。これらの態様に対する様々な修正は、当業者にとって容易に明らかであろう、そして、ここにおいて定義された包括的な原理は、他の態様に適用されうる。したがって、本願請求項は、ここにおいて示されている態様に限定されるように意図されていないが、本願請求項の用語と一貫して全範囲を与えられており、単数の構成要素への言及は、「１以上（one or more）」というよりも、具体的に述べられていない限り「１つおよび１つのみ（one and only one）」を意味するように意図されていない。特に述べられていないかぎり、用語「いくつか（some）」は、１つまたは複数を指す。当業者に知られているまたは後に知られる、本開示全体にわたって説明される様々な態様の構成要素に対するすべての構造的および機能的な同等物は、参照によりここにおいて明示的に組み込まれており、そして、本願請求項によって包含されるように意図される。さらに、ここにおいて開示されているものは、そのような開示が本願請求項で明示的に記載されているかどうかに関らず、公的に使用されることが意図されている。構成要素が明示的にフレーズ「するための手段（means for）」を使用して記載されていないかぎり、または、方法の請求項の場合にはフレーズ「するためのステップ（step for）」を使用して記載されていないかぎり、米国特許法第１１２条第６項の規定の下で請求項の構成要素は解釈されるべきではない。
【図１】
2014212536.tif 000004
【図２】
2014212536.tif 000005
【図３】
2014212536.tif 000006
【図４】
2014212536.tif 000007
【図５】
2014212536.tif 000008
【図６】
2014212536.tif 000009
【図７】
2014212536.tif 000010
【図８】
2014212536.tif 000011
【図９】
2014212536.tif 000012
【図１０】
2014212536.tif 000013
【手続補正書】
【提出日】平成26年7月14日(2014.7.14)
【手続補正１】
【補正対象書類名】特許請求の範囲
【補正対象項目名】全文
【補正方法】変更
【補正の内容】
【特許請求の範囲】
【請求項１】
無線通信の方法であって、
利用可能なアンテナポートの合計数、ユーザ機器（ＵＥ）のためのランクインジケータ、および１つまたは複数のポート割当てビットを含んでいるダウンリンク制御情報（ＤＣＩ）を受信することと、
前記ランクインジケータまたは前記１つまたは複数のポート割当てビットのうち少なくとも１つに基づいて前記ＵＥに割当てられる前記利用可能なアンテナポートの合計数のサブセットを決定することと、
前記割当てられたアンテナポートのセットに対応する基準信号に基づいて復調を実行することと、
を備える方法。
【外国語明細書】
2014212536000001.pdf